(57)【特許請求の範囲】
【請求項１】
端子を収容するキャビティが形成されたハウジングと、
前記ハウジングの外側面に支持された支持部と、当該支持部から延設され、かつ前記ハウジングの外側面に対して離間配置された変位自在部と、を有し、かつ、前記変位自在部が前記ハウジングに対して近接する可撓性を備えたアームと、
前記アームの変位自在部に連結され、前記変位自在部を前記ハウジングに対して近付く方向に撓ませるための操作部と、
前記アームの変位自在部における前記ハウジングとは反対側の外側面に設けられたロック爪と、
前記アームの変位自在部に支持されて前記キャビティに対して突没可能なランスと、
を備え、
前記変位自在部に一体形成されたランス片を更に備え、当該ランス片が、前記変位自在部の可撓方向に対して直交するように延長するとともに前記変位自在部に対して平行に配列されており、
前記ランス片における前記キャビティの前記端子挿入口側の基端部が前記変位自在部に連結されているとともに、前記ランス片における前記キャビティの前記端子突当側の先端部に前記ランスが設けられている
ことを特徴とするコネクタ。
【請求項２】
請求項１に記載のコネクタであって、
前記アームの支持部が、前記ハウジングにおける前記キャビティの端子挿入口側の部分に立設された第１脚部と、前記ハウジングにおける前記キャビティの端子突当側の部分に立設された第２脚部と、を含み、そして
前記変位自在部が、前記第１脚部および前記第２脚部間に掛け渡されていることを特徴とするコネクタ。
【請求項３】
請求項２に記載のコネクタであって、
前記ランスが、前記端子のランス孔の開口縁部に接触するとともに前記キャビティの前記端子突当側に向く接触面を有し、
前記接触面における基端側部分が前記接触面における先端側よりも前記キャビティの端子挿入口側に配置された傾斜面であることを特徴とするコネクタ。
【発明の詳細な説明】
【技術分野】
【０００１】
本発明は、ハウジングのキャビティに端子を保持するランスを備えたコネクタに関する。
【背景技術】
【０００２】
コネクタは、雌端子を挿入可能なキャビティを有する雌型のハウジングを備えている。この雌型のハウジングは、キャビティの前部上面壁から斜め前方に向けてランスが弾性変形可能に形成され、上面から後方に向けてロックアームが弾性変形可能に延出されている。延出されたロックアームの上面にはロック爪が突出されている。
【０００３】
ランスは、雌端子がキャビティの所定位置まで挿入されたとき、雌端子に係止して雌端子がキャビティから抜け出すことを阻止する役割を果たす。
ロック爪は、雌型のハウジングが雄型のハウジング内に収納された状態で、雌型のハウジング内に形成されたロック受部に係止する。
この状態で、雌端子が、雄型のハウジングの雄端子に接続される（例えば、特許文献１参照）。
【特許文献１】特開２００７−３０５４８４号公報
【発明の開示】
【発明が解決しようとする課題】
【０００４】
近年、コネクタの小型化に伴い、コネクタの低背化（すなわち、コネクタの高さを低く抑えること）が求められている。
しかしながら、特許文献１は、キャビティの前部上面壁にランスが形成され、ハウジングの上面に形成されたロックアームにロック爪が突出されている。
このように、ロック爪、ランスが別の部位に設けられているため、低背化に限界がある。
【０００５】
本発明は、前述した事情に鑑みてなされたもので、その目的は、低背化できるコネクタを提供することにある。
【課題を解決するための手段】
【０００６】
前述した目的を達成するために、本発明に係るコネクタは、下記（１）ないし（４）を特徴としている。
（１）  端子を収容するキャビティが形成されたハウジングと、
前記ハウジングの外側面に支持された支持部と、当該支持部から延設され、かつ前記ハウジングの外側面に対して離間配置された変位自在部と、を有し、かつ、前記変位自在部が前記ハウジングに対して近接する可撓性を備えたアームと、
前記アームの変位自在部に連結され、前記変位自在部を前記ハウジングに対して近付く方向に撓ませるための操作部と、
前記アームの変位自在部における前記ハウジングとは反対側の外側面に設けられたロック爪と、
前記アームの変位自在部に支持されて前記キャビティに対して突没可能なランスと、
を備え、
前記変位自在部に一体形成されたランス片を更に備え、当該ランス片が、前記変位自在部の可撓方向に対して直交するように延長するとともに前記変位自在部に対して平行に配列されており、
前記ランス片における前記キャビティの前記端子挿入口側の基端部が前記変位自在部に連結されているとともに、前記ランス片における前記キャビティの前記端子突当側の先端部に前記ランスが設けられていること。
【０００７】
（２）  上記（１）の構成のコネクタであって、
前記アームの支持部が、前記ハウジングにおける前記キャビティの端子挿入口側の部分に立設された第１脚部と、前記ハウジングにおける前記キャビティの端子突当側の部分に立設された第２脚部と、を含み、そして前記変位自在部が、前記第１脚部および前記第２脚部間に掛け渡されていること。
【０００９】
（４）  上記（２）の構成のコネクタであって、
前記ランスが、前記端子のランス孔の開口縁部に接触するとともに前記キャビティの前記端子突当側に向く接触面を有し、前記接触面における基端側部分が前記接触面における先端側よりも前記キャビティの端子挿入口側に配置された傾斜面であること。
【００１０】
上記（１）の構成のコネクタでは、アームを構成する変位自在部の外側面にロック爪を設け、アームにランスを支持した。このように、ロック爪が設けられたアームにランスをまとめて支持することで、ロック爪およびランスの高さ方向に間隔を小さく抑えることができる。
これにより、コネクタの高さを小さく抑えることが可能になり、コネクタを低背化できる。
また、上記（１）の構成のコネクタでは、変位自在部に対して平行にランス片を配列した。そして、ランス片の基端部を変位自在部に連結し、自由端の先端部にランスを設けた。
よって、基端部を中心にしてランスを上向きや下向きに良好に揺動することが可能になる。
これにより、ランスの移動量を大きく確保することが可能になり、ランスの移動量を利用して、コネクタを離脱することや、端子を離脱することが可能になる。
【００１１】
上記（２）の構成のコネクタでは、第１脚部および第２脚部間に変位自在部を掛け渡した。これにより、変位自在部の両端部を第１脚部および第２脚部で支えることができるので、アームに強度が得られるので薄肉化できる。
【００１３】
上記（３）の構成のコネクタでは、ランスの接触面を、基端側が先端側よりもキャビティの端子挿入口側に配置することで傾斜面とした。
ランスの接触面を傾斜面とすることで、操作部で変位自在部をハウジング側に弾性変形させてロックを解除した状態で、ランスの傾斜面が端子を押し出す方向に移動することができる。
【００１４】
よって、傾斜面で端子を押し出し、端子を相手コネクタのハウジングに突き当てることができる。端子を相手コネクタのハウジングに突き当てることで、ハウジングから端子に反力が作用する。
これにより、作用する反力で、ハウジング（コネクタ）を離脱する方向に半ば自動的に移動させ、相手コネクタのハウジングからコネクタを離脱することができる。
【００１５】
さらに、ワイヤーハーネスを引っ張ったときに、変位自在部がハウジング側に弾性変形する。ここで、ランスの接触面は、基端側が先端側よりもキャビティの端子挿入口側に配置することで傾斜面に形成されている。
よって、ランスがキャビティの端子挿入口側に引っ張られることで、ランスの傾斜面が端子に対して係合した状態から、係合を解除可能な状態に変位させることが可能である。
【００１６】
傾斜面を変位させることで、ランスの傾斜面が端子から外れ、ランスをキャビティのから抜き出すことができる。
これにより、ワイヤーハーネスを不用意に引っ張ったときに、ワイヤーハーネスが断線することを防ぐことができる。
【発明の効果】
【００１７】
本発明のコネクタによれば、ロック爪が設けられたアームにランスをまとめて支持することでコネクタの低背化が図れるという効果を有する。
【発明を実施するための最良の形態】
【００１８】
以下、本発明の実施形態に係るコネクタについて、図面を参照して説明する。
図１〜４に示すように、コネクタ１０は、キャビティ１２が形成されたハウジング１１と、ハウジング１１に支持された一対のアーム１４と、一対のアーム１４に連結された操作部１６と、一対のアーム１４にそれぞれ設けられたロック爪１８と、一対のアーム１４に設けられたランス片２１と、ランス片２１に設けられたランス２２とを備えている。
【００１９】
ハウジング１１は、雄型のハウジング２４に差込み／抜出し（離脱）自在に形成され、差込み方向に沿ってキャビティ１２が形成された雌型のハウジングである。
キャビティ１２は、雌端子（端子）２６を収容する空間である。
すなわち、コネクタ１０は雌型のコネクタである。
【００２０】
雌端子２６は、筒状に形成され、図４に示すように、基端部２６Ａにワイヤーハーネス２９が締結され、先端部２６Ｂに雄端子２７に嵌合する嵌合部２６Ｃが形成されている。
図４に示す雄端子２７は、雄型のハウジング２４に設けられている。
【００２１】
アーム１４は、ハウジング１１の両側にそれぞれ設けられ、かつ、変位自在部３３がハウジング１１の上外側面（外側面）１１Ａに対して所定間隔Ｓ１（図３参照）だけ離間配置されている。
【００２２】
具体的には、アーム１４は、図３に示すように、ハウジング１１の上外側（外側）１１Ｂにおいてキャビティ１２の挿入口１２Ａ側に立設された第１脚部３１と、ハウジング１１の上外側１１Ｂにおいてキャビティ１２の突当１２Ｂ側に立設された第２脚部３２と、第１脚部３１および第２脚部３２間に掛け渡された変位自在部３３とを備えている。
変位自在部３３は、ハウジング１１の上外側面１１Ａに対して略平行に配置され、ハウジング１１に対して近接する方向（図３中、下方）に可撓可能な部位である。
【００２３】
このように、第１脚部３１および第２脚部３２間に変位自在部３３を掛け渡すことで、変位自在部３３の両端部を第１脚部３１および第２脚部３２で支えることができる。
よって、アーム１４の強度を高めることができるので、変位自在部３３の薄肉化を図ることができる。
【００２４】
操作部１６は、一対の側脚部４１が一対の変位自在部３３にそれぞれ連結され、一対の側脚部４１に操作部位４２が掛け渡されている。
すなわち、側脚部４１は、変位自在部３３のうち、第１脚部３１近傍の部位３３Ａ（図２参照）に上方に向けて立設されている。
操作部位４２をハウジング１１に向けて押圧することで、アーム１４（変位自在部３３）をハウジング１１に対して近付く方向に撓ませることが可能である。
【００２５】
よって、操作部１６でアーム１４（変位自在部３３）をハウジング１１に対して近付く方向に撓ませることで、ロック爪１８およびランス２２をそれぞれハウジング１１に対して近付く方向に移動させることができる。
なお、ロック爪１８およびランス２２の移動については図５〜図８で詳しく説明する。
【００２６】
ロック爪１８は、変位自在部３３の略中央部３３ｂにおいて、ハウジング１１とは反対側の外側面３３Ｃに上向きに突設されている。
ロック爪１８は、図４に示すように、雄型のハウジング２４に差し込まれた状態において、雄型のハウジング２４の係止爪４４に係止される。
よって、ハウジング１１が雄型のハウジング２４に差し込まれた状態に保たれる。
【００２７】
ロック爪１８は、雄型のハウジング２４に差し込まれる際に係止爪４４に当接し、この当接力でアーム１４（変位自在部３３）がハウジング１１側に弾性変形することでハウジング２４側に移動可能な部位である。
【００２８】
ランス片２１は、一対の変位自在部３３の間に介在され、変位自在部３３の可撓方向に対して直交するとともに変位自在部３３に対して平行に配列されている。
また、ランス片２１は、キャビティ１２の挿入口１２Ａ側の基端部２１Ａが一対の変位自在部３３に掛け渡され（連結され）、基端部２１Ａからキャビティ１２の突当１２Ｂ側に向けて延出されている。
【００２９】
ランス２２は、ランス片２１におけるキャビティ１２の突当１２Ｂ側の先端部２１Ｂに設けられている。
すなわち、ランス２２は、ランス片２１を介して変位自在部３３に支持されている。
よって、アーム１４（変位自在部３３）がハウジング１１側に弾性変形した際に、ランス２２を、ランス片２１を介してハウジング２４側に移動させることが可能である。
【００３０】
ランス２２は、変位自在部３３の部位３３Ａに対してキャビティ１２の突当１２Ｂ側に距離Ｓ２（図３参照）だけ離れた位置に設けられている。
さらに、ランス２２は、先端部２１Ｂからキャビティ１２に向けて突設されている。
図４に示すように、ランス２２は、雌端子２６のランス孔４５の開口縁部４５Ａに接触するとともにキャビティ１２の突当１２Ｂ側に向く接触面４６を備えている。
【００３１】
接触面４６は、基端４６Ａ側が先端４６Ｂ側よりもキャビティ１２の挿入口１２Ａ側に配置された傾斜面に形成されている。
以下、接触面４６を傾斜面として説明する。なお、接触面４６を傾斜面とした理由は図７〜図８において詳しく説明する。
【００３２】
ランス２２を雌端子２６のランス孔４５内に挿入することで、ランス孔４５の開口縁部４５Ａに傾斜面４６が対向する。
よって、開口縁部４５Ａに傾斜面４６が当接（接触）して、雌端子２６をキャビティ１２に差し込んだ状態に保持することができる。
【００３３】
以上説明したように、変位自在部３３の外側面３３Ｃにロック爪１８を設け、変位自在部３３にランス２２を支持した。
このように、ロック爪１８が設けられた変位自在部３３にランス２２をまとめて支持することで、ロック爪１８およびランス２２の高さ方向において、ロック爪１８およびランス２２間の間隔を小さく抑えることができる。
これにより、コネクタ１０の高さＨ（図３参照）を小さく抑えることが可能になり、コネクタ１０を低背化できる。
【００３４】
つぎに、コネクタ１０を雄型のコネクタ２４に差し込む例を図５〜図６に基づいて説明する。
まず、ハウジング１１のキャビティ１２に雌端子２６を装着する例を図５（Ａ），（Ｂ）に基づいて説明する。
図５（Ａ）に示すように、ハウジング１１のキャビティ１２に雌端子２６を矢印Ａの如く差し込む。
【００３５】
雌端子２６の先端部２６Ｂがランス２２に当接する。ランス２２に押付力Ｆ１が上向きに作用する。アーム１４（変位自在部３３）がハウジング１１側から離れる側に矢印Ｂ方向に上昇する。
この状態で、雌端子２６を更に矢印Ａ方向に差し込むことで、ランス孔４５がランス２２に到達する。
【００３６】
図５（Ｂ）に示すように、アーム１４（変位自在部３３）が弾性変形前の状態に復元して、ランス２２がランス孔４５に差し込まれる。
これにより、ランス２２の傾斜面４６が開口縁部４５Ａに当接して、ハウジング１１のキャビティ１２に雌端子２６が保持される。
【００３７】
つぎに、コネクタ１０を雄型のコネクタ２４に差し込む例を図６（Ａ），（Ｂ）に基づいて説明する。
図６（Ａ）に示すように、雄型のコネクタ２４にコネクタ１０を矢印Ｄの如く差し込む。
コネクタ１０のロック爪１８が、雄型のハウジング２４の係止爪４４に当接する。ロック爪１８に押付力Ｆ２が下向きに作用する。
【００３８】
アーム１４（変位自在部３３）がハウジング１１側に弾性変形して、ロック爪１８が矢印Ｅの如く下降する。
この状態で、コネクタ１０を更に矢印Ｄ方向に差し込むことで、ロック爪１８が係止爪４４を乗り越える。
【００３９】
図６（Ｂ）に示すように、ロック爪１８が係止爪４４を乗り越えた後、アーム１４（変位自在部３３）が弾性変形前の状態に復元して、ロック爪１８が係止爪４４に係止する。
よって、ハウジング１１を雄型のハウジング２４に差し込んだ状態に保つことができる。
【００４０】
つぎに、コネクタ１０を雄型のコネクタ２４から抜き出す例を図７（Ａ），（Ｂ）に基づいて説明する。
図７（Ａ）に示すように、操作部１６の操作部位４２をハウジング１１に向けて押圧する。
押圧力Ｆ３が側脚部４１を経て変位自在部３３のうち、第１脚部３１近傍の部位３３Ａに下向きに作用する。
アーム１４（変位自在部３３）がハウジング１１に対して近付く方向に撓み、ロック爪１８がハウジング１１側に移動する。
【００４１】
図７（Ｂ）に示すように、ロック爪１８が移動することで、ロック爪１８が係止爪４４から離れ、ロック爪１８と係止爪４４との係止状態が解除される。
【００４２】
ところで、アーム１４（変位自在部３３）がハウジング１１に対して近付く方向に撓むことで、ロック爪１８とともにランス２２がハウジング１１側に移動する。
ここで、操作部１６でアーム１４（変位自在部３３）を押し下げる際には、アーム１４（変位自在部３３）は、第１脚部３１近傍の部位３３Ａが下向きに押し下げられる。
【００４３】
第１脚部３１近傍の部位３３Ａは、ランス２２に対してキャビティ１２の挿入口１２Ａ側に距離Ｓ２だけ離れた位置に設けられている。
よって、ランス２２は、第１脚部３１近傍の部位３３Ａを中心にして矢印Ｇ方向に上向きに揺動する。
ランス２２の傾斜面４６が、ランス孔４５の開口縁部４５Ａに接触されているので、ランス２２が上向きに揺動する。
【００４４】
ここで、ランス片２１は、基端部２１Ａが変位自在部３３に連結され、先端部２１Ｂが自由端に形成されている。そして、先端部２１Ｂにランス２２が設けられている。
加えて、ランス２２は、変位自在部３３の部位３３Ａに対してキャビティ１２の突当１２Ｂ側に距離Ｓ２だけ離れた位置に設けられている。
よって、ランス２２が上向きに良好に揺動することが可能になり、ランス孔４５の開口縁部４５Ａをランス２２の傾斜面４６で矢印Ｈ方向に押し込むことができる。
【００４５】
雌端子２６が矢印Ｈ方向に移動して、雌端子２６の先端部２６Ｂが、雄型のハウジング２４に設けられた突片４７に突き当たる。
よって、突片４７から雌端子２６に反力がＦ４が作用する。この反力Ｆ４で雌端子２６および雌型のハウジング１１を雄型のハウジング２４から離脱する方向に半ば自動的に押し出すことができる。
【００４６】
つぎに、コネクタ１０から雌端子２６を抜き出す例を図８（Ａ），（Ｂ）に基づいて説明する。
図８（Ａ）に示すように、雌端子２６に矢印Ｉ方向に引張力が作用することで、ランス２２の傾斜面４６にランス孔４５の開口縁部４５Ａから矢印Ｉ方向に押圧力が作用する。
アーム１４（変位自在部３３）は弾性変形可能な部位である。
よって、アーム１４（変位自在部３３）が弾性変形することで、ランス片２１が基端部２１Ａを中心にして矢印Ｊ方向に揺動する。
【００４７】
ここで、ランス片２１は、基端部２１Ａが変位自在部３３に連結され、先端部２１Ｂが自由端に形成されている。そして、先端部２１Ｂにランス２２が設けられている。
加えて、ランス２２は、変位自在部３３の部位３３Ａに対してキャビティ１２の突当１２Ｂ側に距離Ｓ２だけ離れた位置に設けられている。
よって、ランス２２が下向きに良好に揺動することが可能になる。
【００４８】
図８（Ｂ）において、ランス２２の傾斜面４６が略垂直に傾き、ランス孔４５の開口縁部４５Ａが傾斜面４６から離れる。
よって、ランス２２による雌端子２６の係止を解除して、ランス２２をキャビティ１２から離脱することができる。
よって、雌端子２６に矢印Ｉ方向に引張力が不用意に作用した場合に、ワイヤーハーネス２９が断線することを防ぐことができる。
【００４９】
なお、前記実施形態で示したハウジング１１、キャビティ１２、アーム１４、操作部１６、ロック爪１８、ランス片２１、ランス２２、第１脚部３１、第２脚部３２、変位自在部３３などの形状は例示したものに限定するものではなく適宜変更が可能である。
【産業上の利用可能性】
【００５０】
本発明は、ハウジングのキャビティに端子を保持するランスを備えたコネクタへの適用に好適である。
【図面の簡単な説明】
【００５１】
【図１】本発明に係るコネクタを示す斜視図である。
【図２】本発明に係るコネクタの断面状態を示す斜視図である。
【図３】本発明に係るコネクタを示す断面図である。
【図４】本発明に係るコネクタに雌端子を挿入した状態を示す断面図である。
【図５】本発明に係るコネクタに雌端子を挿入する例を説明する断面図である。
【図６】本発明に係るコネクタを雌型のコネクタに挿入する例を説明する断面図である。
【図７】本発明に係るコネクタを雌型のコネクタから離脱させる例を説明する断面図である。
【図８】本発明に係るコネクタから雌端子を離脱させる例を説明する断面図である。
【符号の説明】
【００５２】
１０  コネクタ
１１  ハウジング
１１Ａ  ハウジングの上外側面（外側面）
１１Ｂ  ハウジングの上外側（外側）
１２  キャビティ
１２Ａ  キャビティの挿入口
１２Ｂ  キャビティの突当
１４  アーム
１６  操作部
１８  ロック爪
２１  ランス片
２１Ａ  ランス片の基端部
２１Ｂ  ランス片の先端部
２２  ランス
２６  雌端子（端子）
３１  第１脚部
３２  第２脚部
３３  変位自在部
３３Ｃ  変位自在部の外側面（アームの外側面）
４５  ランス孔
４５Ａ  ランス孔の開口縁部
４６  接触面（傾斜面）
４６Ａ  接触面（傾斜面）における基端
４６Ｂ  接触面（傾斜面）における先端
【図１】
0005052373.tif 000002
【図２】
0005052373.tif 000003
【図３】
0005052373.tif 000004
【図４】
0005052373.tif 000005
【図５】
0005052373.tif 000006
【図６】
0005052373.tif 000007
【図７】
0005052373.tif 000008
【図８】
0005052373.tif 000009